(57)【要約】【課題】盗難を有効に防止することができる電子機器を提供する。【解決手段】充電が開始されると、監視機能がオンし、カメラ本体に生じる運動の加速度が加速度センサによって検出される。検出された加速度が、あらかじめ設定された閾値を越えると、タイマが作動し、規定時間内に監視機能の停止操作が行われないと、警報装置が作動し、警報が発せられる。【選択図】      図５
2006201957.tif 000002
【特許請求の範囲】
【請求項１】
充電器によって本体に備えられたバッテリが充電されるとともに、前記本体の盗難を監視する監視手段を備えた電子機器において、
前記バッテリの充電開始を検知する検知手段と、
前記検知手段によって前記バッテリの充電開始が検知されると、前記監視手段の作動を開始させる制御手段と、
を備えたことを特徴とする電子機器。
【請求項２】
前記本体を前記充電器に載置して前記バッテリを充電することを特徴とする請求項１に記載の電子機器。
【請求項３】
前記充電器から無接点で給電されて前記バッテリを充電することを特徴とする請求項２に記載の電子機器。
【請求項４】
前記監視手段が、前記本体が動かされる際の運動の加速度を検出する加速度検出手段の検出値を監視して、前記本体の盗難を監視する場合において、前記加速度検出手段の検出値が、あらかじめ設定された規定値を越えたことを検出してから一定時間経過後に盗難発生と判定することを特徴とする請求項１、２又は３に記載の電子機器。
【発明の詳細な説明】
【技術分野】
【０００１】
本発明は電子機器に係り、特に盗難防止機能を備えた携帯式の電子機器に関する。
【背景技術】
【０００２】
デジタルカメラや携帯電話機、ＰＤＡ、音楽プレイヤなどの小型、軽量の電子機器は、携帯性に優れる反面、盗難の被害に合いやすいという問題がある。
【０００３】
従来、この種の携帯式の電子機器の盗難防止対策としては、たとえば、液晶モニタなどの表示部にユーザの氏名などを表示させる方法（特許文献１）や、データの読み出し時に機器固有の識別情報の入力を要求して、第三者に不正使用を防止する方法（特許文献２）、機器の使用時にパスワードの入力を要求して、第三者の不正使用する防止する方法（特許文献３）、ＧＰＳで機器の現在位置を把握し、使用許可領域以外への持ちだしを防止する方法（特許文献４）、サーバとの間で無線通信を行い、撮影指示や撮影画像の受け渡しを通じて通信接続状態を確認し、カメラが持ち去られるなど所定の手順以外の方法で通信が途絶えた場合には、カメラ又はサーバで警告を発する方法（特許文献５）、防犯モード時に設定すると、ストロボ用コンデンサに蓄積された電気エネルギを利用して近接する相手に電気ショックを与える方法（特許文献６）、カメラの運動加速度を検知して盗難を検知し、警告を発する方法（特許文献７）などが提案されている。
【特許文献１】特開平１１−７０７２号公報
【特許文献２】特開２０００−３５０１３２号公報
【特許文献３】特開２００１−１６４９７号公報
【特許文献４】特開２００４−１２０５３０号公報
【特許文献５】特開２００４−３０４４６６号公報
【特許文献６】特開２００２−１３５６３７号公報
【特許文献７】特開平８−２４９５４６号公報
【発明の開示】
【発明が解決しようとする課題】
【０００４】
ところで、盗難などの被害は、充電中などユーザが、近くにいない時に起こる時が多く、特許文献１に記載されているように、ユーザ名を表示部に表示するだけでは、盗難の抑止力としては、効果が薄いという欠点がある。また、特許文献２〜５の方法では、盗難自体を防止することはできないという欠点がある。また、特許文献６、７の方法では、ユーザが防犯モードの設定をし忘れると、有効に作動しないという欠点がある。
【０００５】
本発明は、このような事情に鑑みてなされたもので、盗難を有効に防止することができる電子機器を提供することを目的とする。
【課題を解決するための手段】
【０００６】
請求項１に記載の発明は、前記目的を達成するために、充電器によって本体に備えられたバッテリが充電されるとともに、前記本体の盗難を監視する監視手段を備えた電子機器において、前記バッテリの充電開始を検知する検知手段と、前記検知手段によって前記バッテリの充電開始が検知されると、前記監視手段の作動を開始させる制御手段と、を備えたことを特徴とする。
【０００７】
請求項１に記載の発明によれば、検知手段によってバッテリの充電開始が検知されると、監視手段の作動が自動的に開始される。
【０００８】
請求項２に記載の発明は、前記目的を達成するために、請求項１に記載の電子機器において、前記本体を前記充電器に載置して前記バッテリを充電することを特徴とする。
【０００９】
請求項２に記載の発明によれば、電子機器は、本体を充電器に載置することによって、バッテリが充電される。
【００１０】
請求項３に記載の発明は、前記目的を達成するために、請求項２に記載の電子機器において、前記充電器から無接点で給電されて前記バッテリを充電することを特徴とする。
【００１１】
請求項３に記載の発明によれば、充電器に載置された電子機器の本体が、充電器から無接点で給電されてバッテリが充電される。
【００１２】
請求項４に記載の発明は、前記目的を達成するために、請求項１、２又は３に記載の電子機器において、前記監視手段が、前記本体が動かされる際の運動の加速度を検出する加速度検出手段の検出値を監視して、前記本体の盗難を監視する場合において、前記加速度検出手段の検出値が、あらかじめ設定された規定値を越えたことを検出してから一定時間経過後に盗難発生と判定することを特徴とする。
【００１３】
本発明によれば、監視手段が本体の運動加速度を検知して本体の盗難を監視する場合において、盗難検出から一定時間経過後に盗難発生と判定する。これにより、盗難の誤検出を有効に防止することができる。
【発明の効果】
【００１４】
本発明に係る電子機器によれば、本体の盗難を有効に防止することができる。
【発明を実施するための最良の形態】
【００１５】
以下、添付図面に従って本発明に係る電子機器を実施するための最良の形態について説明する。
【００１６】
なお、ここでは写真店などに設置されるプリント端末で内蔵するバッテリの充電を行うことができるデジタルカメラに本発明を適用した場合を例に説明する。
【００１７】
図１は、本発明が適用されたデジタルカメラの電気的構成を示すブロック図である。同図に示すように、デジタルカメラ１０は、撮影光学系１２、撮像素子１４、アナログ信号処理部１６、Ａ／Ｄ変換器１８、メモリ制御部２０、メインメモリ２２、デジタル信号処理部２４、圧縮伸張処理部２６、積算部２８、メディア制御部３０、記憶メディア３２、表示制御部３４、液晶モニタ３６、警報装置制御部３８、警報装置４０、電源制御部４２、電源部４４、通信制御部４６、無線通信部４８、撮像素子駆動部５０、絞り駆動部５２、レンズ駆動部５４、ストロボ５６、ストロボ制御部５８、加速度センサ６０、操作部６２、ＣＰＵ６４、ＲＯＭ６６、ＥＥＰＲＯＭ６８、無線タグ７０、タイマ７１等を備えてなり、全体の動作をＣＰＵ６４によって統括制御されている。このＣＰＵ６４は、操作部６２からの入力に基づき所定の制御プログラムに従ってデジタルカメラ１０の各部を制御する。ＲＯＭ６６には、このＣＰＵ６４が実行する制御プログラムや制御に必要な各種データ等が記録されており、ＥＥＰＲＯＭ６８には、ユーザ設定情報等が記録されている。また、無線タグ７０には、デジタルカメラ１０の機種情報やデジタルカメラ１０に固有のシリアル番号等が記録されている。
【００１８】
撮影光学系１２は、撮影レンズ７２と絞り７４の他、絞り７４を通過した光から赤外成分をカットするＩｒカットフィルタ７６と、高周波成分をカットする光学ローパスフィルタ７８とを備えてなる。レンズ駆動部５４は、ＣＰＵ６４からの指令に基づき撮影レンズ７２を駆動し、フォーカシング及びズーミングを行う。また、絞り駆動部５２は、ＣＰＵ６４からの指令に基づき絞り７４を駆動し、所要の絞り値に設定する。
【００１９】
撮像素子１４は、カラーＣＣＤで構成されており、その受光面には多数のフォトダイオード（受光素子）が配列されている。撮影光学系１２を介して撮像素子１４の受光面に入射した光は、各フォトダイオードによって入射光量に応じた量の信号電荷に変換される。撮像素子駆動部５０は、ＣＰＵ６４からの指令に従って撮像素子１４を駆動し、撮像素子１４は、この撮像素子駆動部５０に駆動されて、各フォトダイオードに蓄積された信号電荷を電圧信号（画像信号）として出力する。
【００２０】
アナログ信号処理部１６は、撮像素子１４から順次出力される画像信号を相関二重サンプリング処理するとともに、増幅する。Ａ／Ｄ変換器１８は、このアナログ信号処理部１６から出力されたアナログの画像信号をデジタルの画像信号に変換する。
【００２１】
メモリ制御部２０は、ＣＰＵ６４からの指令に従ってメインメモリ２２へのデータの読み書きを制御する。Ａ／Ｄ変換器１８から出力されたデジタルの画像信号は、このメモリ制御部２０によってメインメモリ２２に取り込まれる。
【００２２】
デジタル信号処理部２４は、同時化回路、ホワイトバランス補正回路、ガンマ補正回路、輪郭補正回路、輝度・色差信号生成回路等を含み、ＣＰＵ６４からの指令に従って入力された画像信号に所要の信号処理を施し、輝度信号（Ｙ信号）及び色差信号（Ｃｒ、Ｃｂ信号）からなる画像データを生成する。
【００２３】
圧縮伸張処理部２６は、ＣＰＵ６４からの指令に従い、入力された画像データに所要の圧縮処理を施し、所定フォーマットの圧縮画像データを生成する。また、入力された圧縮画像データに所要の伸張処理を施し、非圧縮の画像データを生成する。
【００２４】
積算部２８は、１画面を複数のエリア（例えば、１６×１６）に分割し、分割した各エリアごとにＲ、Ｇ、Ｂの画像信号の積算値を算出して、ＣＰＵ６４に出力する。ＣＰＵ６４は、この積算部２８で算出された積算値に基づいて被写体の明るさ（被写体輝度）を検出し、撮影に適した露出値（撮影ＥＶ値）を算出する。そして、算出した撮影ＥＶ値と所定のプログラム線図から絞り値とシャッタースピードを決定する。また、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適した白バランス調整値に従って、たとえば各比の値がおよそ１（つまり、１画面においてＲＧＢの積算比率がＲ：Ｇ：Ｂ≒１：１：１）になるように、Ｒ、Ｇ、Ｂ信号に対する白バランスのゲイン値を決定する。
【００２５】
また、積算部２８は、所定のフォーカスエリア内における画像信号の高周波成分の積算値（焦点評価値）を算出し、ＣＰＵ６４に出力する。ＣＰＵ６４は、この焦点評価値が極大となるようにレンズ駆動部５４を制御し、撮影レンズ７２のフォーカシングを行う。
【００２６】
メディア制御部３０は、ＣＰＵ６４からの指令に従いカメラ本体に備えられたメディアスロットに装填された記憶メディア３２へのデータの読み書きを制御する。
【００２７】
表示制御部３４は、ＣＰＵ６４からの指令に従いカメラ本体に備えられた液晶モニタ３６への表示を制御する。
【００２８】
警報装置制御部３８は、ＣＰＵ６４からの指令に従い警報装置４０の駆動を制御する。ここで、本実施の形態のデジタルカメラ１０では、警報装置４０がブザーで構成されており、警報装置制御部３８は、ＣＰＵ６４の指令に従い警報としてのブザーを鳴らす。
【００２９】
電源制御部４２は、ＣＰＵ６４からの指令に従い電源部４４を制御し、デジタルカメラ１０の各部への電力の供給を制御する。なお、電源部４４の構成については、後に詳述する。
【００３０】
通信制御部４６は、ＣＰＵ６４からの指令に従い無線通信部４８を制御し、デジタルカメラ１０と通信接続された外部機器（プリント端末、ＰＣ等）との間で無線でデータの送受信を行う。
【００３１】
ストロボ制御部５８は、ＣＰＵ６４からの指令に従いストロボ５６を駆動し、ストロボ５６の発光を制御する。
【００３２】
加速度センサ６０は、カメラ本体が動かされた際の運動の加速度を検出し、ＣＰＵ６４に出力する。ＣＰＵ６４は、この加速度センサ６０で検出される運動の加速度を監視し、あらかじめ設定された閾値を越えた時に盗難発生と判定する（盗難監視機能オン時）。
【００３３】
図２は、本実施の形態のデジタルカメラ１０で撮影された画像データのプリントを行うプリント端末１００の外観構成を示す斜視図である。
【００３４】
同図に示すように、プリント端末１００には、ディスプレイ１０２、カメラステージ１０４、プリント取出し口１０６、コイン投入口１０８、コイン返却口１１０等が設けられている。
【００３５】
ディスプレイ１０２には、表面にタッチパネルが設けられており、ユーザは、ディスプレイ１０２の表示に従ってタッチパネルを操作することにより、プリント端末１００の操作及び所要の情報の入力を行う。
【００３６】
カメラステージ１０４は、デジタルカメラ１０を載置するステージであり、たとえばアクリル板等で構成されている。プリント端末１００は、このカメラステージ１０４に載置されたデジタルカメラ１０から無線で画像データを読み出し、また、無接点で充電用の電力を供給する。
【００３７】
プリント取出し口１０６は、プリント端末１００でプリントされた写真プリントを取り出すための開口部であり、プリント端末１００に内蔵された図示しないプリントエンジンは、生成した写真プリントをこのプリント取出し口１０６に排出する。
【００３８】
図３は、プリント端末１００の電気的構成を示すブロック図である。同図に示すように、プリント端末１００は、ＣＰＵ１１２、システムメモリ１１４、ストレージ１１６、タッチパネル１１８、入力制御部１２０、ディスプレイ１０２、表示制御部１２２、プリントエンジン１２４、コインマシン１２６、通信制御部１２８、無線通信部１３０、充電制御部１３２、充電器１３４、無線タグリーダ１３６等を備えてなり、全体の動作をＣＰＵ１１２によって統括制御されている。
【００３９】
システムメモリ１１４は、ＲＯＭ及びＲＡＭを備えてなり、ＲＯＭには、ＣＰＵ１１２が実行する制御プログラムや制御に必要な各種データ等が記録されている。ＣＰＵ１１２は、ＲＯＭに記録された制御プログラムをＲＡＭに読み出し、ＲＡＭを作業領域としながら所定の制御プログラムを実行する。
【００４０】
ストレージ１１６は、ハードディスク装置で構成されており、ＣＰＵ１１２からの指令に従いデジタルカメラ１０から読み出した画像データを所定の記憶領域に格納する。
【００４１】
入力制御部１２０は、ユーザが押圧したタッチパネル１１８の座標位置を検出し、検出した座標データをＣＰＵ１１２に出力する。ＣＰＵ１１２は、この入力制御部１２０から入力される座標データに基づき所定の制御プログラムに従ってプリント端末１００の各部を制御する。
【００４２】
表示制御部１２２は、ＣＰＵ１１２からの指令に従いディスプレイ１０２の表示を制御する。
【００４３】
プリントエンジン１２４は、ＣＰＵ１１２からの指令に従いユーザからプリント注文を受けた画像を所定の印画紙にプリントし、プリント取出し口１０６に排出する。
【００４４】
コインマシン１２６は、ＣＰＵ１１２の制御の下、コイン投入口１０８から投入されるコインを検出し、入金情報をＣＰＵ１１２に出力する。
【００４５】
通信制御部１２８は、ＣＰＵ１１２からの指令に従い無線通信部１３０を制御し、カメラステージ１０４に載置されたデジタルカメラ１０との間で無線でデータの送受信を行う。
【００４６】
充電制御部１３２は、ＣＰＵ１１２からの指令に従い充電器１３４の駆動を制御し、カメラステージ１０４に載置されたデジタルカメラ１０の電源部４４に無接点で電力を供給する。なお、この充電器１３４の構成については、後に詳述する。
【００４７】
無線タグリーダ１３６は、ＣＰＵ１１２からの指令に従いカメラステージ１０４に載置されたデジタルカメラ１０から無線タグ７０に記録されている情報を読み取り、ＣＰＵ１１２に出力する。
【００４８】
図４は、デジタルカメラ１０の電源部４４とプリント端末１００の充電器１３４の電気的構成を示すブロック図である。
【００４９】
同図に示すように、デジタルカメラ１０の電源部４４は、充電側コイル１５０、半波整流用のダイオード１５２、充電電流を制御するとともに、過電流を防止する充電制御回路１５４、バッテリ（二次電池）１５６を順次直列に接続して構成されている。
【００５０】
一方、プリント端末１００の充電器１３４は、給電側コイル１６０、増幅器１６２、交流電源１６４を順次直列に接続して構成されている。
【００５１】
給電側コイル１６０は、カメラステージ１０４の直下に配設されており、ユーザは、この給電側コイル１６０の真上に充電側コイル１５０が位置するように、デジタルカメラ１０をカメラステージ１０４に載置する。たとえば、カメラ本体の底面に充電側コイル１５０が配設されている場合には、カメラ本体の底面を下にしてデジタルカメラ１０のカメラ本体をカメラステージ１０４に載置し、給電側コイル１６０の真上に充電側コイル１５０が位置するように位置合わせを行う。
【００５２】
プリント端末１００による給電は、次のように行われる。すなわち、デジタルカメラ１０をカメラステージ１０４に載置すると、デジタルカメラ１０に内蔵された無線タグ７０が、プリント端末１００に備えられた無線タグリーダ１３６によって読み取られる。
【００５３】
プリント端末１００のＣＰＵ１１２は、無線タグリーダ１３６が、デジタルカメラ１０から無線タグを読み取ると、カメラステージ１０４にデジタルカメラ１０が載置されたと判定し、給電を開始する。
【００５４】
まず、交流電源１６４を作動させる。交流電源１６４から出力された交流は、増幅器１６２で増幅されたのち、給電側コイル１６０に通電される。給電側コイル１６０が通電されると、この給電側コイル１６０に近接して配置されたデジタルカメラ１０の充電側コイル１５０に電磁誘導により交流電流が誘起される。この誘起電流は、ダイオード１５２により直流に半波整流されてから、充電制御回路１５４により過充電が防止されてバッテリ１５６に給電され、これにより、バッテリ１５６が充電される。
【００５５】
なお、バッテリ１５６に給電される充電電流は、充電制御回路１５４により適宜制御することができ、また、充電電流の過電流とバッテリ１５６の過充電も充電制御回路１５４により自動的に防止される。
【００５６】
また、バッテリ１５６に給電を開始すると、充電制御回路１５４は、デジタルカメラ１０のＣＰＵ６４に充電開始信号を出力する。デジタルカメラ１０のＣＰＵ６４は、この充電制御回路１５４からの充電開始信号を入力することにより、バッテリ１５６の充電が開始されたことを検知する。そして、このバッテリ１５６の充電開始を検知すると、盗難監視機能をオンし、盗難の監視をスタートする。
【００５７】
次に、前記のごとく構成された本実施の形態のデジタルカメラ１０の作用について説明する。
【００５８】
まず、撮影時の動作について説明する。カメラのモードを撮影モードに設定して、カメラの電源をオンし、操作部６２に備えられたシャッターボタンを半押しすると、操作部６２からＣＰＵ６４にＳ１ＯＮ信号が入力される。ＣＰＵ６４は、このＳ１ＯＮ信号の入力に応動して、ＡＥ、ＡＦ、ＡＷＢの処理を実行する。すなわち、主要被写体にピントを合わせるとともに、被写体の明るさを検出して、絞り値とシャッタースピード、ホワイトバランス補正値を決定する。
【００５９】
この後、シャッターボタンが全押しされると、ＣＰＵ６４にＳ２ＯＮ信号が入力され、このＳ２ＯＮ信号の入力に応動して、ＣＰＵ６４は画像の記録処理を実行する。
【００６０】
まず、ＡＥで求めた絞り値、シャッタースピードで撮像素子１４を露光し、記録用の画像信号の取り込みを行う。撮像素子１４から出力された画像信号は、アナログ信号処理部１６、Ａ／Ｄ変換器１８を介してメインメモリ２２に格納される。メインメモリ２２に格納された画像信号は、デジタル信号処理部２４に加えられ、輝度データ（Ｙ）と色差データ（Ｃｒ、Ｃｂ）とからなる画像データ（ＹＣデータ）に変換されて、メインメモリ２２に格納される。メインメモリ２２に格納された画像データは、圧縮伸張処理部２６に加えられ、所定の圧縮フォーマット（ここでは、ＪＰＥＧ）に従って圧縮されたのち、再度メインメモリ２２に格納され、所定フォーマット（たとえば、Ｅｘｉｆ）の画像ファイルとして、メディア制御部３０を介して記憶メディア３２に記録される。
【００６１】
以上のようにして、画像の撮影が行われ、撮影された画像データが記憶メディア３２に記録される。この記憶メディア３２に記録された画像データは、デジタルカメラ１０のモードを再生モードにすることにより、デジタルカメラに備えられた液晶モニタ３６に再生表示される。
【００６２】
すなわち、カメラのモードを再生モードに設定すると、記憶メディア３２に最後に記録された圧縮画像データが記憶メディア３２から読み出され、圧縮伸張処理部２６に加えられる。圧縮伸張処理部２６に加えられた圧縮画像データは、圧縮伸張処理部２６で所要の伸張処理が施された後、メインメモリ２２に格納され、表示制御部３４を介して液晶モニタ３６に再生表示される。操作部６２でコマ送りの操作が行われると、その操作に応じて次の圧縮画像データが記憶メディア３２から読み出され、同様の処理を施されて液晶モニタ３６に再生表示される。
【００６３】
次に、充電時の動作について説明する。上述したように、デジタルカメラ１０に内蔵されたバッテリ１５６の充電は、プリント端末１００で行うことができる。
【００６４】
図５は、バッテリ充電時におけるデジタルカメラ１０の動作の手順を示すフローチャートである。
【００６５】
まず、ユーザは充電するデジタルカメラ１０をプリント端末１００のカメラステージ１０４の上に載置する。
【００６６】
カメラステージ１０４の上にデジタルカメラ１０が載置すると、デジタルカメラ１０に内蔵された無線タグ７０が、プリント端末１００に備えられた無線タグリーダ１３６によって読み取られる。
【００６７】
プリント端末１００のＣＰＵ１１２は、無線タグリーダ１３６が、デジタルカメラ１０から無線タグを読み取ると、カメラステージ１０４にデジタルカメラ１０が載置されたと判定し、給電を開始する。
【００６８】
まず、交流電源１６４を作動させる。交流電源１６４から出力された交流は、増幅器１６２で増幅されたのち、給電側コイル１６０に通電される。給電側コイル１６０が通電されると、この給電側コイル１６０に近接して配置されたデジタルカメラ１０の充電側コイル１５０に電磁誘導により交流電流が誘起される。この誘起電流は、ダイオード１５２により直流に半波整流されてから、充電制御回路１５４により過充電が防止されてバッテリ１５６に給電され、これにより、バッテリ１５６が充電される。
【００６９】
充電制御回路１５４がバッテリ１５６の給電を開始すると、充電制御回路１５４は、デジタルカメラ１０のＣＰＵ６４に充電開始信号を出力する。ＣＰＵ６４は、この充電開始信号の入力を検出して、充電が開始されたか否か判定する（ステップＳ１０）。そして、充電が開始されたと判定すると、盗難監視機能をオンする（ステップＳ１１）。
【００７０】
まず、加速度センサ６０でデジタルカメラ本体の加速度を検出し、その検出結果を加速度センサ６０から取得する（ステップＳ１２）。そして、その加速度センサ６０の検出加速度が、あらかじめ設定された閾値を越えているか否か判定する（ステップＳ１３）。
【００７１】
この結果、検出加速度が閾値を越えていないと判定すると、ＣＰＵ６４は監視機能の停止操作の有無を判定する（ステップＳ１４）。ここで、監視機能の停止操作は、操作部６２を操作して行われ、たとえば、電源ボタンとシャッタボタンを同時に押すことにより行われる。この他、所定のボタンを決められた回数押すことにより停止させるようにしてもよいし、所定のボタンを所定の順序で押すことにより停止させるようにしてもよい。また、専用の停止ボタンを押すことにより止めるようにしてもよいし、また、デジタルカメラに文字入力機能を備えている場合には、所定のパスワードを入力して止めるようにしてもよい。
【００７２】
このように、監視機能の停止操作の入力を検出すると、ＣＰＵ６４は、監視機能停止操作ありと判定し、監視機能をオフする（ステップＳ１５）。そして、液晶モニタ３６に監視機能が停止されたことを表示する（ステップＳ１６）。ユーザは、この液晶モニタ３６の表示を見て、監視機能がオフされたことを確認する。
【００７３】
一方、所定の停止操作の入力を検出せず、監視機能停止操作なしと判定すると、ＣＰＵ６４は、ステップＳ１２に戻り、再度、加速度センサ６０でカメラ本体の運動の加速度を検出して、検出加速度が閾値を越えたか否か判定する（ステップＳ１３）。
【００７４】
このステップＳ１３で検出加速度が閾値を越えていると判定すると、ＣＰＵ６４は、タイマ７１を起動させ、カウントを開始する（ステップＳ１７）。そして、監視機能の停止操作の有無を判定する（ステップＳ１８）。
【００７５】
この判定の結果、所定の停止操作の入力を検出し、監視機能停止操作ありと判定すると、上記同様にＣＰＵ６４は監視機能をオフし（ステップＳ１５）、液晶モニタ３６に監視機能が停止されたことを表示する（ステップＳ１６）。ユーザは、この液晶モニタ３６の表示を見て、監視機能がオフされたことを確認する。
【００７６】
一方、監視機能停止操作なしと判定すると、ＣＰＵ６４は、タイマ起動からの経過時間をタイマ７１から取得し、その取得した経過時間が、あらかじめ設定された規定時間を経過したか否か判定する（ステップＳ１９）。
【００７７】
ここで、規定時間を経過していないと判定すると、ＣＰＵ６４は、ステップＳ１８に戻り、再度、監視機能停止操作の有無を判定する（ステップＳ１８）。
【００７８】
一方、規定時間を経過していると判定すると、ＣＰＵ６４は、警報装置制御部３８にコマンドを出力し、警報装置４０を作動させる（ステップＳ２０）。
【００７９】
このように、本実施の形態のデジタルカメラ１０では、充電を開始すると、自動で監視機能がオンする。これにより、ユーザが監視機能を設定しなくても済み、監視機能の設定のし忘れによる盗難を効果的に防止することができる。
【００８０】
また、充電中に監視機能を作動させるようにしているので、バッテリ不足の心配もなく、確実に監視機能を作動させることができる。
【００８１】
また、本実施の形態のデジタルカメラ１０では、カメラ本体の運動の加速度を監視して、盗難の検出を行うようにしているが、検出加速度が、あらかじめ設定された閾値を越えた場合であっても、一定時間以内に所定の停止操作を行えば、監視機能の停止させることができるので、誤検出を有効に防止することができる。
【００８２】
なお、本実施の形態では、このようにカメラ本体に生じた加速度が所定の閾値を越えてから一定時間経過後に警報装置を作動させるようにしているが、カメラ本体に生じた加速度が所定の閾値を越えたら、直ちに警報装置を作動させるようにしてもよい。
【００８３】
また、本実施の形態では、カメラ本体に生じる運動の加速度を検出して、デジタルカメラの盗難を監視するようにしているが、盗難を監視する方法は、これに限定されるものではない。たとえば、ＧＰＳ等でカメラ本体の位置を監視し、所定の地域を出ると、盗難と判定するようにしてもよい。あるいは、デジタルカメラに通信機能を持たせて通信状態を監視し、通信が途切れると、盗難と判定するようにしてもよい。
【００８４】
また、本実施の形態では、盗難防止装置として、ブザーからなる警報装置を採用しているが、盗難防止装置は、これに限定されるものではなく、たとえば、ストロボのメインコンデンサに蓄電された電力を利用して、電気ショックを与えるようにしてもよいし、ストロボを発光させるようにしてもよい。また、通信機能を備えたデジタルカメラの場合には、所定の連絡先に通報するようにしてもよい。
【００８５】
さらに、本実施の形態では、バッテリの充電方法として、無接点による充電方式を採用しているが、バッテリの充電方法は、これに限定されるものではなく、有線による充電方式を採用してもよい。
【００８６】
また、本実施の形態では、プリント端末でデジタルカメラを充電するようにしているが、バッテリを充電する充電器の形態は、これに限定されるものではなく、充電機能のみを備えた充電器で充電するようにしてもよい。
【００８７】
なお、プリント端末１００を用いた場合、プリント端末１００は、カメラステージ１０４にデジタルカメラ１０を載置すると、互いの無線通信部４８、１３０を通じて通信可能に接続され、デジタルカメラ１０の記憶メディア３２に記録された画像データが自動でプリント端末１００に読み出される。読み出された画像データは、ユーザの要求に応じて、プリントエンジン１２４でプリントされ、また、ストレージ１１６に記録される。
【００８８】
また、上記実施の形態では、本発明をデジタルカメラに適用した場合を例に説明したが、本発明の適用は、これに限定されるものではなく、たとえば、携帯電話機やＰＤＡ、ビデオカメラ、ミュージックプレーヤ等の充電式のバッテリを備えた携帯式の電子機器全般に適用することができる。
【図面の簡単な説明】
【００８９】
【図１】本発明が適用されたデジタルカメラの電気的構成を示すブロック図
【図２】プリント端末の外観構成を示す斜視図
【図３】プリント端末の電気的構成を示すブロック図
【図４】デジタルカメラの電源部とプリント端末の充電器の電気的構成を示すブロック図
【図５】バッテリ充電時におけるデジタルカメラの動作の手順を示すフローチャート
【符号の説明】
【００９０】
１０…デジタルカメラ、１２…撮影光学系、１４…撮像素子、１６…アナログ信号処理部、１８…Ａ／Ｄ変換器、２０…メモリ制御部、２２…メインメモリ、２４…デジタル信号処理部、２６…圧縮伸張処理部、２８…積算部、３０…メディア制御部、３２…記憶メディア、３４…表示制御部、３６…液晶モニタ、３８…警報装置制御部、４０…警報装置、４２…電源制御部、４４…電源部、４６…通信制御部、４８…無線通信部、５０…撮像素子駆動部、５２…絞り駆動部、５４…レンズ駆動部、５６…ストロボ、５８…ストロボ制御部、６０…加速度センサ、６２…操作部、６４…ＣＰＵ、６６…ＲＯＭ、６８…ＥＥＰＲＯＭ、７０…無線タグ、７１…タイマ、７２…撮影レンズ、７４…絞り、７６…Ｉｒカットフィルタ、７８…光学ローパスフィルタ、１００…プリント端末、１０２…ディスプレイ、１０４…カメラステージ、１０６…プリント取出し口、１０８…コイン投入口、１１０…コイン返却口、１１２…ＣＰＵ、１１４…システムメモリ、１１６…ストレージ、１１８…タッチパネル、１２０…入力制御部、１２２…表示制御部、１２４…プリントエンジン、１２６…コインマシン、１２８…通信制御部、１３０…無線通信部、１３２…充電制御部、１３４…充電器、１３６…無線タグリーダ、１５０…充電側コイル、１５２…ダイオード、１５４…充電制御回路、１５６…バッテリ、１６０…給電側コイル、１６２…増幅器、１６４…交流電源
【図１】
2006201957.tif 000003
【図２】
2006201957.tif 000004
【図３】
2006201957.tif 000005
【図４】
2006201957.tif 000006
【図５】
2006201957.tif 000007